(57)【要約】【課題】  映像出画領域と操作領域とを分離してもコストを抑えることができ、また映像出画領域に傷等が付きにくいインターホン装置を提供する。【解決手段】  インターホン親機のディスプレイ１０に縦横比が９：１６のＬＣＤを使用し、カメラの撮像映像の出画領域を左に寄せて配置して縦横比３：４で出画し、右側の空き領域を操作領域としてインターホンの応答や各種設定操作をする操作ボタンを表示させた。映像出画領域には、指やペンの接触等によるキズの発生を防止するための保護板１１を配置し、操作領域にはタッチパネルシート１２を配置してタッチパネル操作によりボタン操作を可能とした。【選択図】  図２
2007067695.tif 000002
【特許請求の範囲】
【請求項１】
来訪者を撮像するためのカメラを備えたインターホン子機と、前記カメラの撮像映像を出画するディスプレイを備えたインターホン親機とを有するインターホン装置において、
前記ディスプレイは、縦寸法に対して１．５倍以上の横寸法を有し、前記カメラの撮像映像出画領域を左右の何れか一方に寄せて配置して縦横比略３：４で出画可能とし、他方の空き領域をインターホンの応答や各種設定操作をする操作領域とし、前記操作領域には各種操作ボタンが表示されると共にタッチパネル操作によりボタン操作が可能であることを特徴とするインターホン装置。
【請求項２】
前記ディスプレイの前記出画領域に、指やペンの接触等によるキズの発生を防止するための保護板を設けたことを特徴とする請求項１記載のインターホン装置。
【請求項３】
前記操作ボタンは、呼出、通話、設定等のインターホンの動作状態に応じてボタン表示が変更されることを特徴とする請求項１又は２記載のインターホン装置。
【発明の詳細な説明】
【技術分野】
【０００１】
本発明は来訪者を撮像するカメラを備えたインターホン装置に関し、特にカメラが撮像した映像を出画するディスプレイがタッチパネルとしても使用されるインターホン装置に関する。
【背景技術】
【０００２】
従来から、玄関子機に来訪者を撮像するカメラを備え、居室親機にその映像を出画するディスプレイを備えたインターホン装置がある。このようなインターホン装置には、居室親機のディスプレイをＬＣＤで構成すると共にタッチパネルから成る操作部としても使用可能とし、操作ボタンの為の部材や操作ボタン設置スペースを削減したり、操作性を向上させたものがある（例えば、特許文献１参照）。
また、インターホン以外の分野では出画映像のアスペクト比が従来と変わらないように正方形のＬＣＤを用いて上部領域にテレビ放送等の映像を出画し、下部領域をタッチパネルとして各種操作ボタンを配置した映像表示装置が提案されている（例えば、特許文献２参照）。
【０００３】
【特許文献１】特開２００２−２６０１３５号公報（第７図）
【特許文献２】特開２００３−８７６７３号公報
【発明の開示】
【発明が解決しようとする課題】
【０００４】
しかしながら、上記特許文献１のインターホン装置の場合は、カメラの撮像映像とタッチパネルの操作ボタンが重なって映像が見辛くならないようにディスプレイの映像出画領域とボタン操作する操作領域を分離しているが、略中央にカメラ映像を出画し、その下部に隣接させて操作領域を配置しているため、映像出画領域の左右に空き領域が発生してしまい非効率であったし、通常よりも大型のタッチパネルディスプレイが必要となり、コストアップの要因となっていた。また、この場合、左右の空きを無くすように映像出画領域を横方向に拡大することも考えられるが、横に広がった映像は見づらいものになってしまう。
一方、特許文献２に示すような構成の場合、ディスプレイ（ＬＣＤ）は専用の形状になるため、ＬＣＤを安価にできなかった。また、双方のディスプレイの構成は、映像出画領域と操作領域が分離されているが、ディスプレイ全面をタッチパネルとして使用可能としているため、大きなタッチパネルが必要であり、これもコストアップの要因となっていたし、映像出画領域に直接指やペンなどが触れることは避けられず、すぐに画面が傷ついて表示される来訪者の顔が見辛くなる問題もあった。
【０００５】
そこで、本発明はこのような問題点に鑑み、映像出画領域と操作領域を分離してもコストを抑えることができ、また映像出画領域に傷等が付きにくいインターホン装置を提供することを目的としている。
【課題を解決するための手段】
【０００６】
上記課題を解決する為に、請求項１に記載の発明は、来訪者を撮像するためのカメラを備えたインターホン子機と、前記カメラの撮像映像を出画するディスプレイを備えたインターホン親機とを有するインターホン装置において、ディスプレイは、縦寸法に対して１．５倍以上の横寸法を有し、カメラの撮像映像出画領域を左右の何れか一方に寄せて配置して縦横比略３：４で出画可能とし、他方の空き領域をインターホンの応答や各種設定操作をする操作領域とし、操作領域には各種操作ボタンが表示されると共にタッチパネル操作によりボタン操作が可能であることを特徴とする。
この構成により、カメラ撮像映像の縦横比を変更することなくディスプレイに出画させても、タッチパネルから成る操作領域を効率よく設けることができ、空きスペースが発生することがない。そして、ディスプレイ上に映像の出画領域とタッチパネル領域を無駄なく配置できるので、ディスプレイのコストアップを抑えることができる。更に、出画領域と操作領域を左右に分離して配置することで、視覚的に双方を見やすく、映像を見ながらタッチパネルを操作し易い。
【０００７】
請求項２の発明は、請求項１に記載の発明において、ディスプレイの出画領域に、指やペンの接触等によるキズの発生を防止するための保護板を設けたことを特徴とする。
この構成により、ディスプレイはタッチ操作が可能であるにも拘わらず映像の出画領域は傷が付き難く、見やすい映像の出画を維持できる。
【０００８】
請求項３の発明は、請求項１又は２記載の発明において、操作ボタンは、呼出、通話、設定等のインターホンの動作状態に応じてボタン表示が変更されることを特徴とする。
この構成により、タッチパネルに表示される操作ボタンはインターホン動作により変更されるので、タッチパネル領域がディスプレイの一部であっても操作し易い状態で操作ボタンを表示することが可能となる。
【発明の効果】
【０００９】
本発明によれば、カメラ撮像映像の縦横比を変更することなくディスプレイに出画させても、タッチパネルから成る操作領域を効率よく設けることができ、空きスペースが発生することがない。そして、ディスプレイ上に映像の出画領域とタッチパネル領域を無駄なく配置できるので、ディスプレイのコストアップを抑えることができる。
また、映像の出画領域には指やペンの接触等によるキズの発生を防止する保護板を設けるので、耐久性が向上し、見やすい映像の出画を維持できる。
【発明を実施するための最良の形態】
【００１０】
以下、本発明を具体化した実施の形態を、図面に基づいて詳細に説明する。図１は、本発明に係るインターホン装置の実施形態の一例を示す構成図であり、１は玄関等に設置されて来訪者が居住者を呼び出す為のインターホン子機、２は住戸内に設置されて居住者がインターホン子機１からの呼び出しに応答するためのインターホン親機を示している。
【００１１】
インターホン子機１は、居住者を呼び出すための呼出ボタン３、来訪者を撮像するカメラ４を有し、インターホン親機２は、呼び出しに応答するための通話部６、カメラ４の撮像映像を出画するモニタ７、インターホンの応答操作や録画操作等を行う操作部８を備えている。そして、インターホン親機２のモニタ７と操作部８は、１つの液晶表示体（ＬＣＤ）から成るディスプレイ１０により一体に形成されている。このディスプレイ１０は、縦横比が例えば９：１６の横長に形成され、画面左側にモニタ７、右側に操作部８が配置されている。
【００１２】
図２はディスプレイ１０の前面の構造を示す説明図であり、１１はガラス板から成る保護板、１２はタッチパネルシートを示している。保護板１１はディスプレイ１０の一部であるモニタ７上に設置され、モニタ７の表面に傷等が付かないように設置されている。一方、タッチパネルシート１２はディスプレイ１０の残りの部分である操作部８上に設置され、操作部８をタッチパネルとしている。
【００１３】
このように、モニタ部に保護板を設けることで、操作部を操作する際に誤ってモニタに触れてしまった場合でも、モニタ表面は傷が付き難く、見やすい映像の出画を維持できる。また、タッチパネルシートはディスプレイ全面を覆うことなく小さな領域で済むため、低コストで済む。
尚、保護板１１は、ガラス板でなくとも良く、硬質プラスチック、或いは表面を硬化処理したプラスチックを使用しても良い。
【００１４】
このように構成されたインターホン装置の具体的な動作を次に説明する。来訪者が、居室内の居住者を呼び出すために、インターホン子機１の呼出ボタン３を押すと、インターホン親機へ２呼出信号が伝送される。同時にカメラ４が撮像を開始して撮像映像を同様にインターホン親機２へ伝送する。インターホン子機１からの呼出信号を検出したインターホン親機２は、呼出音を出力すると共に、カメラ４で撮像した映像をモニタ７に出画する。
【００１５】
カメラ撮像信号は、具体的にＮＴＳＣ方式の信号により送信され、画像の縦横比が３：４である。この映像は、縦横比が９：１６のディスプレイの場合、左側約７５％がモニタ７となり３：４の縦横比で出画される。そして、残りの約２５％の右側の領域が操作部８となり、図１に示すように「通話」ボタン８ａ、「録画」ボタン８ｂなどの操作ボタン、或いは機能ボタンが表示される。
【００１６】
こうしてインターホン親機２は、呼出音を受けて居住者が操作部８の「通話」ボタン８ａを押すと、インターホン子機１とインターホン親機２の間に通話路が形成され、居室内の居住者と玄関の来訪者の間で通話が成立する。
通話が成立したら、操作部８の表示内容は「終話」「録画」「転送」のボタンに切り替わり（図示せず）、実際の動作状況に応じて操作部８は適切な表示内容に適宜変更される。
【００１７】
このように、カメラ撮像映像の縦横比を変更することなくディスプレイに出画させても、空きスペースを設けることなくタッチパネルから成る操作部を設けることができる。そして、ディスプレイ上に映像の出画領域とタッチパネル領域を無駄なく配置できるので、ＬＣＤから成るディスプレイのコストアップを抑えることができる。更に、出画領域と操作領域を左右に分離して配置することで、視覚的に双方を見やすく、映像を見ながらタッチパネル操作がし易い。
また、タッチパネルに表示される操作ボタンはインターホン動作により変更されるので、タッチパネル領域がディスプレイの一部の僅かな領域であっても操作し易い状態で操作ボタンを表示することが可能となる。
【００１８】
図３は、ディスプレイ１０前面の構造の他の例を示し、ディスプレイ１０の全域にタッチパネルシート１２を配置し、その上部のモニタ７の領域のみに保護板１１が設けられている。
このように、タッチパネルシートをディスプレイの一部でなく全面に配置しても良く、タッチパネルシートは割高になるが、保護板との間に境界が発生しないので、製造工程を簡略化できる。
【００１９】
尚、上記実施形態ではディスプレイ１０の縦横比を９：１６として説明したが、横寸法は縦寸法に比べて１．５倍以上あれば映像出画領域と操作領域を分離させることが可能であり、例えば、縦横比２：３、即ち横寸法が縦寸法に比べて１．５倍のディスプレイを使用した場合、縦横比が３：４のモニタ領域を左側に設けると右端に約１１％の空き領域ができ、この領域に「通話」「録画」などの機能ごとの設定ボタンを表示できる。また、映像出画領域をディスプレイ右側に配置して操作領域を左側に設けても良いが、利用者は右手で操作する場合が多いため、右側に操作部を配置するのが好ましい。
【図面の簡単な説明】
【００２０】
【図１】本発明の実施形態の一例を示すインターホン装置の構成図である。
【図２】図１のディスプレイの構成図である。
【図３】ディスプレの変更例を示す構成図である。
【符号の説明】
【００２１】
１・・インターホン子機、２・・インターホン親機、４・・カメラ、７・・モニタ、８・・操作部、１０・・ディスプレイ、１１・・保護板、１２・・タッチパネルシート。
【図１】
2007067695.tif 000003
【図２】
2007067695.tif 000004
【図３】
2007067695.tif 000005